(57)【特許請求の範囲】
【請求項１】
第１テーブルと第２テーブルとを組み合わせて、前記第１テーブルおよび前記第２テーブルの大きさおよび高さに近似した１つのテーブルとして用いることができるようにした組テーブルであって、
前記第１テーブルは第１天板と該第１天板を支持する第１支持部とからなり、
前記第１支持部は、複数本の第１脚部と、該第１脚部同士を水平方向に連結すると共に、使用者が足を入れる空間を確保するように設けられた第１フレームとを有し、
前記第１脚部は前記第１フレームから上方に向って突出しており、
前記第２テーブルは第２天板と該第２天板を支持する第２支持部とからなり、
前記第２支持部は、複数本の第２脚部と、前記第１フレームよりも高い位置で前記第２脚部同士を水平方向に連結すると共に、使用者が足を入れる空間を確保するように設けられた第２フレームとを有し、
前記第１天板は前記第１支持部から分離可能で、かつ、前記第２天板に重ね合せ可能とされ、
前記第１天板が前記第１支持部から分離可能であり、
前記第１天板を前記第１支持部から分離した状態で、かつ、前記第１フレームにより前記第１脚部同士が互いに連結された状態で、前記第２脚部を前記第１脚部に沿って上方から落とし込み可能で、この落とし込みにより、複数の第１脚部と第２脚部とが鉛直軸のまわりの少なくとも一方の回転方向に係合した１つの組支持部が形成されると共に、前記第１支持部と第２支持部とが互いにずれることがないように鉛直軸のまわりの２つの回転方向に互いに係合し、前記第１支持部および前記第２支持部が高さ方向に互いにずれることなく組み立てられて、１つのテーブルとして用いることができるようにしたことを特徴とする組テーブル。
【請求項２】
第１テーブルと第２テーブルとを組み合わせて、前記第１テーブルおよび前記第２テーブルの大きさおよび高さに近似した１つのテーブルとして用いることができるようにした組テーブルであって、
前記第１テーブルは第１天板と該第１天板を支持する第１支持部とからなり、
前記第１支持部は、複数本の第１脚部と、該第１脚部同士を水平方向に連結すると共に、使用者が足を入れる空間を確保するように設けられた第１フレームとを有し、
前記第１脚部は前記第１フレームから上方に向って突出しており、
前記第２テーブルは第２天板と該第２天板を支持する第２支持部とからなり、
前記第２支持部は、複数本の第２脚部と、前記第１フレームよりも高い位置で前記第２脚部同士を水平方向に連結すると共に、使用者が足を入れる空間を確保するように設けられた第２フレームとを有し、
前記第１天板は前記第１支持部から分離可能で、かつ、前記第２天板に重ね合せ可能とされ、
前記第１天板が前記第１支持部から分離可能であり、
前記第１天板を前記第１支持部から分離した状態で、かつ、前記第１フレームにより前記第１脚部同士が互いに連結された状態で、前記第２脚部の側面を前記第１脚部の側面に沿って上方から落とし込み可能で、この落とし込みにより、前記第１脚部および前記第２脚部の前記側面同士が互いに合掌した合掌脚部が形成されると共に、複数の第１脚部および第２脚部の前記側面同士が互いに鉛直軸のまわりの少なくとも一方の回転方向に係合し、かつ、前記第１フレームの上面に前記第２フレームの下面の少なくとも一部が当接して１つの組支持部が形成されると共に、前記第１支持部と第２支持部とが互いにずれることがないように鉛直軸のまわりの２つの回転方向に互いに係合し、前記第１支持部および前記第２支持部が高さ方向に互いにずれることなく組み立てられて、１つのテーブルとして用いることができるようにしたことを特徴とする組テーブル。
【請求項３】
第１テーブルに第２テーブルを組み合わせて、前記第１テーブルおよび前記第２テーブルの大きさおよび高さに近似した１つのテーブルとして用いることができるようにした組テーブルであって、
前記第１テーブルは第１天板と該第１天板を支持する第１支持部とからなり、
前記第１支持部は、円筒または半円筒状に形成された複数本の第１脚部と、該第１脚部同士を水平方向に連結すると共に、使用者が足を入れる空間を確保するように設けられた第１フレームとを有し、
前記第２テーブルは第２天板と該第２天板を支持する第２支持部とからなり、
前記第２支持部は、前記第１脚部の内径よりも小さい半径の円柱ないし半円柱状に形成された複数本の第２脚部と、前記第１フレームよりも高い位置で前記第２脚部同士を水平方向に連結すると共に、使用者が足を入れる空間を確保するように設けられた第２フレームとを有し、
前記第１天板は前記第１支持部から分離可能で、かつ、前記第２天板に重ね合せ可能とされ、
前記第１天板を前記第１支持部から分離した状態で、前記第２脚部の側面の円周面を前記第１脚部の円周面に沿って上方から落とし込むと、複数の第１脚部と第２脚部とが鉛直軸のまわりの双方向の回転方向に係合すると共に、前記第１フレームの上面に前記第２フレームの下面の少なくとも一部が当接して１つの組支持部が形成されて、１つのテーブルとして用いることができるようにしたことを特徴とする組テーブル。
【発明の詳細な説明】
【０００１】
【発明の属する技術分野】
本発明はテーブル、特に１組のテーブルを２つのテーブルに組み替えることができる組テーブルに関する。
【従来の技術および課題】
【０００２】
従来のテーブルとして、それぞれ１組の天板と天板を支持する支持部とからなる種々の構造のものがある。しかし、これらのテーブルは、複数のテーブルが必要となった場合、他の場所から別のテーブルを持ってきたり、また、別のテーブルを持ってきても大きさや高さが異なったりして使い勝手が悪い。
さらに、一人暮らしの場合、特にワンルームの場合は、テーブルが１つしかないことが多く、別のテーブルを持ってくることができない。
【０００３】
したがって、本発明の目的は、通常は１組のテーブルとして使用可能で、必要に応じて、ほぼ同じ大きさおよび高さの２つのテーブルに組み替えることができる使い勝手のよい組テーブルを提供することである。
【課題を解決するための手段】
【０００４】
前記目的を達成するために、本発明のある組テーブルは、第１テーブルと第２テーブルとを組み合わせて、前記第１テーブルおよび前記第２テーブルの大きさおよび高さに近似した１つのテーブルとして用いることができるようにした組テーブルであって、前記第１テーブルは第１天板と該第１天板を支持する第１支持部とからなり、前記第１支持部は、複数本の第１脚部と、該第１脚部同士を水平方向に連結すると共に、使用者が足を入れる空間を確保するように設けられた第１フレームとを有し、前記第１天板の片面には、前記第１脚部それぞれの頂部に上方から嵌合する複数の第１嵌合部を設け、前記第２テーブルは第２天板と該第２天板を支持する第２支持部とからなり、前記第２支持部は、複数本の第２脚部と、前記第１フレームよりも高い位置で前記第２脚部同士を水平方向に連結すると共に、使用者が足を入れる空間を確保するように設けられた第２フレームとを有し、前記第２天板の片面には、前記第２脚部それぞれの頂部に上方から嵌合する複数の第２嵌合部を設け、前記第２脚部を前記第１脚部に沿って上方から落とし込むと、複数の第１脚部と第２脚部とが鉛直軸のまわりの少なくとも一方の回転方向に係合した１つの組支持部が形成され、前記第１嵌合部を設けた面と、前記第２嵌合部を設けた面とにおいて、前記第１天板および前記第２天板が水平方向にずれないように互いに係合して１つの組天板が形成され、該組天板を前記組支持部に載置して１つのテーブルとして用いることができるようにしたことを特徴とする。
【０００５】
本発明においては、第２脚部を第１脚部に沿って上方から落とし込むと、複数の第１脚部と第２脚部とが鉛直軸のまわりの少なくとも一方の回転方向に係合するので、組み合わせた前記第１支持部および前記第２支持部が互いにずれるのを容易に防止することができる。そのため、締結具を使用しなくても簡単に組支持部を形成することができる。
また、第１天板および第２天板が水平方向にずれないように互いに係合して１つの組天板が形成され、該組天板を前記組支持部に載置して１つのテーブルとして用いてもよい。
一方、第１テーブルは、前記第１天板を前記第１支持部に載置して形成され、第２テーブルは、前記第２天板を前記第２支持部に載置して形成され、それぞれ、１つのテーブルとして使用してもよい。
すなわち、１組のテーブルとして使用するか２つのテーブルとして使用するかを選択することができ、複数のテーブルが必要となった場合でも別のテーブルを持ってくる必要がないから、ユーザーにとって至便であると共に、１組のテーブルとして用いる場合に、第１および第２テーブルが合体するので、収納場所を別途必要としない。
なお、前記第１および第２テーブルを同じ高さにし、両テーブルの天板を同じ大きさにすれば、前記２つのテーブルを並べて使用しても両テーブルの高さおよび幅が同じだから、食器などが並べ易く使い勝手が良い上、見栄えも良い。
【発明の実施の形態】
【０００６】
以下、本発明の一実施形態を図面にしたがって説明する。
図１ないし図７は本発明の第１実施形態を示す。図１に示すように、本発明の組テーブル１００は組天板５と組支持部１１とからなる。前記組天板５は前記組支持部１１に着脱自在に載置される。
【０００７】
ここで、前記組天板５は、図５に示す同じ大きさの第１天板１と第２天板３とに分離することができる。一方、前記組支持部１１は、図２（ｂ）の第１支持部７と図２（ｃ）の第２支持部９とに分離することができる。後述するように、前記第１支持部７に前記第１天板１を載置して第１テーブル１０１を形成し、前記第２支持部９に前記第２天板３を載置して第２テーブル１０２を形成して、それぞれ１つのテーブルとして使用することができる。
【０００８】
まず、前記組支持部１１を構成する第１支持部７および第２支持部９について説明する。
図２（ｂ）に示す前記第１支持部７は、複数本の第１脚部８と第１フレーム１２とを有する。前記第１脚部８は、その側面８ａが後述する第２支持部９の第２脚部１０の側面１０ａと合掌して、図２（ａ）のように前記組支持部１１の角柱状の合掌脚部１１ａを形成するような三角柱状に形成されている。
【０００９】
図３（ｃ）に示すように、前記第１フレーム１２は、その４隅各々に突出部１３および係合部１５を有する枠状に形成されている。前記第１脚部８は、それぞれ、鉛直軸のまわりに回転移動しても同じ向きになるように、同じ側面８ｂが前記突出部１３に接合されている。また、前記第１フレーム１２は、図３（ｆ）に示すように使用者が足を入れる空間２を確保すると共に前記第１脚部８同士を水平方向に連結するように設けられている。なお、前記第１脚部８は、前記第１フレーム１２から上方に向って突出している。
【００１０】
一方、図２（ｃ）に示す前記第２支持部９は、複数本の第２脚部１０と第２フレーム１４とを有する。前記第２脚部１０は、その側面１０ａが前記第１脚部８の側面８ａと合掌して、前記合掌脚部１１ａを形成するような三角柱状に形成されている。
【００１１】
図３（ｂ）に示すように、前記第２フレーム１４は、その４隅各々に突出部１７および係合部１９を有する枠状に形成されている。前記第２脚部１０は、それぞれ、鉛直軸のまわりに回転移動しても同じ向きになるように、同じ側面１０ｂが前記突出部１７に接合されている。また、前記第２フレーム１４は、図３（ｅ）に示すように使用者が足を入れる空間４を確保すると共に、前記第２脚部１０同士を前記第１フレーム１２よりも高い位置で水平方向に連結するように設けられている。なお、前記第２脚部１０は、前記第２フレーム１４から上方に向って突出している。
【００１２】
ここで、前記第１支持部７と前記第２支持部９とを組み合わせて組支持部１１を形成する方法を説明する。
図３（ｃ）の前記第１脚部８の側面８ａに沿って、図３（ｂ）の前記第２脚部１０の側面１０ａを上方から落とし込む。そうすると、図３（ａ）のように前記第１脚部８の側面８ａと前記第２脚部１０の側面１０ａとが合掌して、前記組支持部１１の合掌脚部１１ａが形成される。図４（ａ）に示すように、前記複数の第２脚部１０の他の側面１０ｂは、前記第１フレームの前記係合部１５に係合し、かつ、前記第２脚部１０の側面１０ａが前記第１脚部８の側面８ａに係合する。すなわち、前記第２脚部１０は、鉛直軸のまわりの一方の回転方向Ｓ1 および前記回転方向Ｓ1 の反対の回転方向Ｓ2 に係合する。
【００１３】
一方、図４（ｂ）に示すように、前記複数の第１脚部８の側面８ｂは、前記第２フレームの前記係合部１９に係合し、かつ、前記第１脚部８の側面８ａが前記第２脚部１０の側面１０ａに係合する。すなわち、前記第１脚部８は、前記鉛直軸のまわりの回転方向Ｓ2 およびＳ1 に係合する。
したがって、複数の前記第１脚部８と前記第２脚部１０とが互いに前記鉛直軸のまわりの回転方向Ｓ1 ，Ｓ2 に係合するので、前記第１支持部７および前記第２支持部９が互いにずれることがない。
【００１４】
ところで、前記第１支持部７と前記第２支持部９とを組み合わせるには、前記第２支持部９を前記第１支持部７よりも上方に持ち上げて、前記第２脚部１０を前記第１脚部８の上方から落とし込まなければならない。しかし、図７のように、前記第２脚部１０の途中まで逃げ溝５０を設ければ、前記第２支持部９を前記第１支持部７の真上からスライドさせなくても、前記第１支持部７と前記第２支持部９とを組合わせることができる。すなわち、前記係合部１５と係合するのは、前記第２脚部１０の側面１０ｂのうち前記逃げ溝５０上方の一部だけであるから、前記第２支持部９を少し持ち上げて当該部分を前記係合部１５に係合させればよいので、組替え作業が容易になる。
【００１５】
図３（ｅ）に示すように、前記第２フレーム１４は、前記第１フレーム１２よりも高い位置で前記第２脚部１０を水平方向に連結している。そのため、前記第２フレーム１４は、前記第１支持部７に前記第２支持部９を上方から落とし込んで組合わせると、図３（ｄ）のように前記第１フレーム１２の上面１２ａに前記第２フレーム１４の下面１４ａが当接する。したがって、前記第１支持部７および前記第２支持部９が高さ方向（鉛直軸方向）にずれることがなく、かつ、組支持部１１の使用者が足を入れる空間２が確保される。
【００１６】
つぎに、前記組天板５を構成する第１天板１および第２天板３について説明する。
図５に示すように、前記第１天板１の片面（裏面）には、複数の第１嵌合部２１が設けられている。該第１嵌合部２１は、突出部２１ａと凹嵌部２１ｂとからなる。第１テーブル１０１を組み立てる場合、該凹嵌部２１ｂを前記第１脚部８の頂部８ｃに上方から嵌合させる。
【００１７】
一方、前記第２天板３の片面（裏面）には、複数の第２嵌合部２３が設けられている。第２テーブル１０２を組立てる場合、該嵌合部２３を前記第２脚部１０の頂部１０ｃに上方から嵌合させる。前記凹嵌部２１ｂおよび前記嵌合部２３は同じ深さなので、図４（ｃ）に示すように、前記第１テーブル１０１と前記第２テーブル１０２とは同じ高さになる。
【００１８】
ここで、前記組天板５を形成する際には、図６（ｂ）の前記第１嵌合部２１の前記突出部２１ａを図６（ｃ）の前記第２嵌合部２３に嵌合させて、前記第１天板１と第２天板３とを組合わせる。これにより、前記第１嵌合部を設けた面と、前記第２嵌合部を設けた面とにおいて、前記第１天板１および第２天板３とが水平方向にずれないように互いに係合する。
上記構成により形成された組天板５が前記組支持部１１の合掌脚部１１ａの頂部１１ｂに載置されて、本発明の組テーブル１００が形成される。
【００１９】
なお、前記第１天板１および前記第２天板３は、他方の面（表面）を図６（ａ）のように略水平面状に形成するのが望ましい。
また、前記第１天板１と前記第２天板３とを組合わせて前記組天板５を形成する際、前記第１天板１および前記第２天板３のどちらを上側または下側にして組合わせてもよい。
また、図６（ｄ）に示すように、前記第１天板１および前記第２天板３の側面に持ち手用の切欠溝２５を設ければ、組替え作業の際に持ち易く、作業し易くなる。
【００２０】
つぎに、本発明の第２実施形態について説明する。
図８の（ａ）、（ｂ）および（ｃ）は、それぞれ、本発明の第２実施形態にかかる組支持部１１，第１支持部７および第２支持部９を示す。前記第１支持部７の第１脚部８は円筒状に形成されており、該第１脚部８同士を第１フレーム１２が水平方向に枠状に連結している。前記第１脚部８には、組み合わせたときに第２支持部９の第２フレーム１４と干渉しないように、切欠部２７が第１フレーム１２との連結部分に設けられている。
【００２１】
一方、前記第２支持部９の第２脚部１０は、前記第１脚部の内径より小さい半径の円柱状に形成されており、該第２脚部１０同士を第２フレーム１４が水平方向に桟状に連結している。また、前記第２脚部１０は、前記第１脚部８と組み合わせたとき若干上方に突出するように、前記第１脚部８よりも長く形成されている。
【００２２】
前記組支持部１１を形成する場合には、前記第２脚部１０の側面の円周面３２を前記第１脚部８の円周面３０に沿って、上方から落とし込む。これにより、前記第２脚部１０の前記円周面３２と前記第１脚部８の前記円周面３０とが互いに鉛直軸の双方向の回転方向Ｓ（図８（ａ））に係合する。そのため、前記第１支持部７および前記第２支持部９が互いにずれることがない。
【００２３】
図９は本発明の第２実施形態にかかる第１天板１および第２天板３を示す。
前記第１天板１の片面（裏面）には、図９に示すように、複数の円柱突起状の第１嵌合部２６が設けられている。前記第１嵌合部２６を前記第１脚部８の中空に上方から嵌合させると、前記第１天板１の前記第１嵌合部２６が設けられた面（裏面）が前記頂部８ｃに当接し、第１テーブル１０１が形成される。
【００２４】
一方、前記第２天板３の片面（裏面）には、複数の凹嵌状の第２嵌合部２８が設けられている。第２テーブル１０２を組立てる場合は、前記嵌合部２８を前記第２脚部１０の頂部１０ｃに上方から嵌合させる。前記第２嵌合部２８の深さは前記突出高さに等しく形成されているので、第１テーブル１０１および第２テーブル１０２は同じ高さになる。
【００２５】
その他の構成は、第１実施形態と同様であり、同一部分または相当部分に同一符号を付して、その詳しい説明および図示を省略する。
なお、第１フレーム１２および第２フレーム１４は、それぞれ枠状および桟状に設ける必要はなく、同様の形状もしくは他の形状にして設けてもよい。
【００２６】
図１０は本発明の第３実施形態を示す。
図１０（ａ）において、第１テーブル１０１の第１天板１は両面（表面および裏面）が平面の一枚板で形成されており、第１支持部７と分離可能に設けられている。一方、図１０（ｂ）に示す第２テーブル１０２の第２天板３は、第２支持部９に載置された状態で固定されている。前記第２支持部９に対する前記第２天板３の固定は、ボルトなどによる接合の他、第２天板３と第２支持部９とを互いに接着しておいてもよい。
【００２７】
前記第１および第２テーブル１０１、１０２を、それぞれ、別々の２つのテーブルとして使用する場合は、ボルトやネジなどの締結具により前記第１天板１を前記第１支持部７に載置した状態で締結する。これにより、前記第１天板１は前記第１支持部７に対し水平方向にずれることなく１つのテーブルとして使用することができる。なお、第１テーブル１０１において、前記第１天板１は前記第１支持部７に必ずしも締結する必要はなく、前記第１支持部７に載置するだけでもよい。
【００２８】
前記第１および第２テーブル１０１、１０２を組み合わせて、１つのテーブルとして使用する場合は、以下の組付手順で組み付けを行う。
(1) 第１テーブル１０１の第１天板１と第１支持部７とを図３（ａ）に示すように分離する。
(2) 前記第１天板１を前記第１支持部７から分離した状態で、図３（ｃ）に示すように、前記第２テーブル１０２を前記第１支持部７の上方に持ち上げる。この際、前記第２天板３は前記第２支持部９に固定されているから、前記第２天板３を持って第２テーブル１０２全体を持ち上げることができるので作業し易い。
(3) 前記第２テーブル１０２の第２脚部１０を前記第１支持部７の第１脚部８に沿って上方から落とし込んで、前記第１天板１を前記第２天板３に対し重ね合わせる。これにより、第１テーブル１０１と第２テーブル１０２とは組み合わされて１つのテーブルとして用いることができる。なお、前記第１天板１を前記第２天板３に重ね合わせずに、１つのテーブルとして用いることもできる。
【００２９】
なお、上記の組付手順で組み合わせた１つのテーブルを前記第１および第２テーブル１０１、１０２の２つのテーブルに分離する場合は、上記組付手順と逆の手順で分離作業を行う。この分離作業の際、上記組付作業の際と同様に、前記第２天板３を持って第２テーブル１０２全体を持ち上げることができるので作業し易い。
その他の構成は、第１実施形態と同様であり、同一部分または相当部分に同一符号を付して、その詳しい説明および図示を省略する。
【００３０】
ところで、本発明の組テーブルは、各消費者自身が組み立てられるように、各パーツ（たとえば、脚部、天板、フレームなど）同士を、互いにボルトやネジなどで締結可能としてもよいし、互いに接着しておいてもよい。
【００３１】
以上のとおり、図面を参照しながら好適な実施形態を説明したが、当業者であれば、本明細書を見て、自明な範囲で種々の変更および修正を容易に想定するであろう。
第１脚部（第２脚部）の形状は、第１実施形態および第２実施形態に示した三角柱状，円筒状（円柱）に限られず、たとえば、半円筒状（半円柱状）などのような第１脚部と第２脚部とが互いに鉛直軸のまわりの少なくとも一方の回転方向に係合するような形状であればどのような形状であってもよい。また、第１および第２脚部は、それぞれ、四角柱であってもよい。
また、天板は四角形状にする必要はなく、円状もしくは多角形状であってもよい。
さらに、脚部の数は４本に限られず、少なくとも３本ないし２枚以上であれば支持部を形成することができる。
なお、本発明の組テーブルを炬燵に適用する場合には、ヒーターを備えるようにしてもよい。
したがって、そのような変更および修正は、請求の範囲から定まる本発明の範囲内のものと解釈される。
【００３２】
【発明の効果】
以上説明したように、本発明によれば、通常１組のテーブルとして使用しているテーブルを必要に応じて、該テーブルの大きさおよび高さに近似した２つのテーブルに組み替えることができるので、他の場所から別のテーブルを探して持ってくる手間が省ける。
また、組み替えた２つのテーブルは概ね同じ大きさ、高さだから、並べて使用しても段差がなく、天板上に食器などを並べる場合、並べやすく使い勝手が良い上、見栄えも良い。
また、必要が無くなれば、２つのテーブルを１つのテーブルに組立てて収納することができるので、テーブル自体を収納する場所を必要としないから、収納スペースが節約できる。特にワンルームの場合には、部屋を広く活用することができ、ユーザーにとって至便である。
さらに、締結具を用いず、簡単な構造で、組合わせた部材のずれを防止しているので、誰でも容易に組替え作業を行うことができる。
【図面の簡単な説明】
【図１】本発明に係る組テーブルの第１実施形態を示す斜視図である。
【図２】（ａ）、（ｂ）および（ｃ）は、それぞれ、同組支持部、同第１支持部および同第２支持部を示す斜視図である。
【図３】（ａ）、（ｂ）および（ｃ）は、それぞれ、同組支持部、同第１支持部および同第２支持部を示す平面図、（ｄ）、（ｅ）および（ｆ）は、同側面図である。
【図４】（ａ）および（ｂ）は、それぞれ、第１支持部および第２支持部の要部を示す平面図、（ｃ）は、組テーブル、第１テーブルおよび第２テーブルを示す側面図である。
【図５】本発明に係る組テーブルの第１実施形態の天板を示す斜視図である。
【図６】（ａ）は第１および第２天板の表面を示す平面図、（ｂ）および（ｃ）は、それぞれ、第１および第２天板の裏面を示す平面図、（ｄ）は第１天板、第２天板および組天板それぞれの側面を示す側面図である。
【図７】本発明の第１実施形態にかかる変形例を示す斜視図である。
【図８】（ａ）、（ｂ）および（ｃ）は、それぞれ、本発明の第２実施形態にかかる組支持部、第１支持部および第２支持部を示す斜視図である。
【図９】本発明の第２実施形態にかかる天板を示す斜視図である。
【図１０】（ａ）および（ｂ）は本発明の第３実施形態にかかる第１および第２テーブルをそれぞれ示す側面図、（ｃ）は組テーブルの組付方法を示す側面図である。
【符号の説明】
１：第１天板
３：第２天板
５：組天板
７：第１支持部
８：第１脚部
９：第２支持部
１０：第２脚部
１１：組支持部
１２：第１フレーム
１４：第２フレーム
１００：組テーブル
１０１：第１テーブル
１０２：第２テーブル
Ｓi （Ｓ1 ，Ｓ2 ）：鉛直軸まわりの回転方向
【図１】
0003671039.tif 000002
【図２】
0003671039.tif 000003
【図３】
0003671039.tif 000004
【図４】
0003671039.tif 000005
【図５】
0003671039.tif 000006
【図６】
0003671039.tif 000007
【図７】
0003671039.tif 000008
【図８】
0003671039.tif 000009
【図９】
0003671039.tif 000010
【図１０】
0003671039.tif 000011